(57)【要約】【課題】シールを有する差込みコネクタを改良して、ケーブルの貫通部の領域で特に良好にシールし、ケーブルシール部に複数のケーブルをも組み込むことを可能にするものを提供する。【解決手段】圧着プレート（２６）が設けられており、該圧着プレート（２６）により、シール（２０）が、圧着プレート（２６）と、ケーシングに設けられた対応面（１２）との間で圧縮され得るようになっており、これにより、シール（２０）の部分が、貫通開口（１４，１６，２８，３０）に関連して半径方向に内側へ押圧されるようにした。【選択図】図３
2005050810.tif 000002
【特許請求の範囲】
【請求項１】
差込みコネクタであって、ケーシング（１０）と、ケーブルのための貫通開口（１４，１６，２８，３０）と、シール（２０）とが設けられており、該シール（２０）が、貫通開口の領域でシールすることができる形式のものにおいて、圧着プレート（２６）が設けられており、該圧着プレート（２６）により、シール（２０）が、圧着プレート（２６）と、ケーシングに設けられた対応面（１２）との間で圧縮され得るようになっており、これにより、シール（２０）の部分が、貫通開口（１４，１６，２８，３０）に関連して半径方向に内側へ押圧されることを特徴とする、差込みコネクタ。
【請求項２】
圧縮面（４０，４８）が設けられており、該圧縮面（４０，４８）により、シール（２０）が、貫通開口の領域で半径方向内側へ押圧される、請求項１記載の差込みコネクタ。
【請求項３】
圧縮面（４８）が、圧着プレート（２６）に位置している、請求項２記載の差込みコネクタ。
【請求項４】
圧着プレート（２６）に、ケーブルのための貫通開口（２８，３０）が設けられており、圧縮面（４８）が、前記貫通開口（２８，３０）の縁部に位置している、請求項３記載の差込みコネクタ。
【請求項５】
圧縮面（４０）が、ケーシング（１０）に位置している、請求項２記載の差込みコネクタ。
【請求項６】
圧縮面（４０）が、ケーシング（１０）に設けられた開口（１４，１６）の縁部に位置している、請求項５記載の差込みコネクタ。
【請求項７】
圧縮面が、円錐状の狭隘部（３８，４６）により、貫通開口（１４，１６，２８，３０）の領域に形成されている、請求項２から６までのいずれか１項記載の差込みコネクタ。
【請求項８】
シール（２０）が、円筒状の段部（４２）を有しており、該段部（４２）が、圧縮面（４０，４８）により、少なくとも自由な端部の領域で半径方向内側へ押圧される、請求項７記載の差込みコネクタ。
【請求項９】
シール（２０）と圧縮面（４０，４８）とが、シールの中央平面に関連して鏡面対称的に構成されており、これにより、シールの、軸線方向に互いに離隔された２つの区分（５０）が、半径方向内側へ押圧される、請求項３又は５記載の差込みコネクタ。
【請求項１０】
固定手段（３２）により、圧着プレート（２６）がケーシング（１０）に緊締され得るようになっている、請求項１から９までのいずれか１項記載の差込みコネクタ。
【請求項１１】
圧着プレート（２６）を固定するために、少なくとも１つのねじ（３２）が使用される、請求項１０記載の差込みコネクタ。
【請求項１２】
２つの貫通開口（２８，３０）が設けられており、２つのねじ（３２）が設けられており、該ねじ（３２）のうちの一方のねじが、前記貫通開口（２８，３０）により形成された線の一方の側に配置されており、かつ他方のねじが、前記線の他方の側に配置されている、請求項１１記載の差込みコネクタ。
【請求項１３】
シール（２０）が、エラストマから成っている、請求項１から１２までのいずれか１項記載の差込みコネクタ。
【請求項１４】
圧着プレート（２６）のためのストッパ面（１３）が設けられており、該ストッパ面（１３）により、シールの許容される最大の圧縮が限定される、請求項１から１３までのいずれか１項記載の差込みコネクタ。
【発明の詳細な説明】
【技術分野】
【０００１】
本発明は、差込みコネクタであって、ケーシングと、ケーブルのための貫通開口と、シールとが設けられており、該シールが、貫通開口の領域でシールすることのできる形式のものに関する。
【背景技術】
【０００２】
シールの機能は、ケーシングの内部へのケーブルの貫通部をシールし、これにより、湿気及び汚れがケーシングの内部に進入できないようにすることにある。この場合に、従来技術により、ケーブルにおけるシールを保証するための種々異なった構造が公知である。
【発明の開示】
【発明が解決しようとする課題】
【０００３】
本発明の課題は、冒頭で述べた形式の、シールを有する差込みコネクタを改良して、ケーブルの貫通部の領域で特に良好にシールし、ケーブルシール部に複数のケーブルをも組み込むことを可能にするものを提供することである。
【課題を解決するための手段】
【０００４】
この課題を解決した本発明の手段によれば、このために圧着プレートが設けられており、この圧着プレートにより、シールが、圧着プレートと、ケーシングに設けられた対応面との間で圧縮され得るようになっており、これにより、シールの部分が、貫通開口に関連して半径方向内側へ押圧される。
【発明の効果】
【０００５】
この場合に、圧着プレートは２つの機能を果たす。一方では、圧着プレートはシールをケーシングに対して密に押圧し、これにより、シールとケーシングとの間のシールが保証されている。他方では、圧着プレートはシールの変形をもたらし、この変形に基づいて、シールはケーブルに密に接触し、そこを良好にシールする。
【０００６】
有利には圧縮面が設けられており、この圧縮面により、シールは貫通開口の領域で半径方向内側へ押圧される。前記圧縮面は、圧着プレート及び／又はケーシングの、特にケーブルのための貫通開口の領域に位置しており、これにより、シールをケーブルに対して効果的に直接的に押圧することができる。このためには、圧縮面が円錐状の狭隘部により貫通開口の領域に形成されており、シールが円筒状の段部を有しており、この段部が、前記圧縮面により、少なくとも自由な端部の領域で半径方向内側へ押圧されると特に有利である。このような形式で楔作用が形成され、この楔作用により、貫通開口に関して軸線方向に、シールの円筒状の段部を半径方向に変形し、変位する圧着プレートの運動が引き起こされる。このことは、シールを良好な機械的な作用度により一様に半径方向内側へ押圧し、これにより、シールがケーブルに密に接触することを可能にする。
【０００７】
圧着プレートをケーシングに固定するためには、ねじを使用することができ、これにより、圧着プレートは、実際に現場でわずかな手間によりねじ止めすることができる。ねじは、シールが圧着プレートとケーシングとの間で一様に圧縮されるように配置されていると有利である。
【０００８】
本発明の有利な構成が、従属請求項に記載されている。
【発明を実施するための最良の形態】
【０００９】
次に本発明を有利な実施例をもとに説明する。この実施例は付加した符号により説明されている。
【００１０】
図１には、差込みコネクタ１が示されている。この差込みコネクタ１は、第１の差込みモジュール２と、第２の差込みモジュール３とを有している。これらの第１の差込みモジュール２と第２の差込みモジュール３とは、隔壁４の対置された２つの側に配置されている。それぞれの差込みモジュール２，３には、クリップ５が対応配置されており、このクリップ５には、図面に示唆したケーブル８がクランプされている。このケーブルの心線は、対応する差込みモジュール２へ案内することができる。それぞれのクリップ５は、ケーブルを取り囲む遮へい部の張力解除のためにも接触のためにも働く。
【００１１】
差込みモジュール２，３は、隔壁４の対置された側で、ケーシング１０の内部に配置されている。隔壁４及びケーシング１０は金属又は金属被覆されたプラスチックから成っている。このような形式で、電磁的な妨害に対する遮へいが得られ、隔壁４に基づいて、両差込みモジュール２，３の間には高い漏話減衰が得られる。
ケーシング１０は、図示の実施例では長方形の横断面を有しており、差込みモジュール２，３に向いていない方の側に端壁１２を有している。この端壁１２には、第１の差込みモジュール２に接続されるケーブルのための第１の貫通開口１４、並びに第２の差込みモジュール３に接続されるケーブルのための第２の貫通開口１６が設けられている。端壁１２はわずかに後退して配置されており、これにより、端壁１２を越えて突出した環状の張出１８が形成されている。端壁１２には、ストッパ面１３が設けられている。
【００１２】
張出１８により取り囲まれたスペースにはシール２０が配置されている。このシール２０には、第１の貫通開口２２及び第２の貫通開口２４が設けられている。シールのこれらの両貫通開口２２，２４は、ケーシングの両貫通開口１４，１６と同軸的に位置している。シール２０は、エラストマ、特に軟性ゴムから成っている。
【００１３】
シール２０の、端壁１２に向いていない方の側には、圧着プレート２６が配置されている。この圧着プレート２６は、同様に張出１８により取り囲まれたスペース内に位置している。圧着プレート２６は、プラスチック又は金属から成っており、第１の貫通開口２８及び第２の貫通開口３０を有している。圧着プレート２６の第１の貫通開口２８は、シール２０の第１の貫通開口２２及びケーシング１０の第１の貫通開口１４と同軸的に整列されている。圧着プレート２６の第２の貫通開口３０は、シール２０の第２の貫通開口２４及びケーシング１０の第２の貫通開口１６と同軸的に整列されている。圧着プレート２６をケーシング１０に固定するためには、２つのねじ３２が設けられており、これらの２つのねじ３２は、端壁１２に設けられた２つのねじ開口３４内にねじ込まれる。
【００１４】
ケーシング１０の貫通開口１４，１６は、それぞれ円筒状の段部３６（特に図３参照）の内部に形成されている。この段部３６は、端壁１２からケーシング１０の内部へ向かって延びている。円筒状の段部３６の、ケーシング１０の内部に向いている方の半分には円錐状の狭隘部３８が設けられており、この狭隘部３８は、貫通開口１４，１６へ向かって圧縮面４０により限定されている。すなわち、圧縮面４０は、円錐台に対して相補的な形状を有している。
【００１５】
シール２０は、それぞれの貫通孔２２，２４の周囲に円筒状の段部４２を有している。この場合、それぞれ１つの段部４２が、シール２０の本体のそれぞれの側に設けられている。別の言い方をすれば、シール２０は、このシール２０の本体の中央平面にあたる、両貫通開口２２，２４の軸線に対して垂直に形成された平面に関して、鏡面対称的に構成されている。シール２０の円筒状の段部４２の外径は、ケーシング１０の貫通開口１４，１６の最大直径にほぼ対応している。
【００１６】
圧着プレート２６にも、貫通開口２８，３０の周囲にそれぞれ円筒所の段部４４が設けられている。ケーシング１０の端壁１２に設けられた段部３６と同じ形式で、圧縮プレート２６のそれぞれの段部４４には円錐状の狭隘部４６が設けられおり、この狭隘部４６は、内側で圧縮面４８により限定されている。
【００１７】
ケーシング１０の貫通開口１４，１６並びに圧着プレート２６の貫通開口２８，３０の最大直径は、シール２０の円筒状の段部４２の外径にほぼ対応している。これに対して、ケーシング１０の貫通開口１４，１６並びに圧着プレート２６の貫通開口２８，３０の最小直径、すなわち、狭隘部３８，４６の領域の最もわずかな直径は、シール２０の段部４２の外径よりも小さく形成されている。
【００１８】
差込みコネクタの組付け時には、通常は、まず接続したいケーブルが、圧着プレート２６に設けられた貫通開口２８，３０と、シール２０に設けられた貫通開口２２，２４と、ケーシング１０の端壁１２に設けられた貫通開口１４，１６とを介して押し込まれ、両方の差込みモジュール２，３に結合される。これらの差込みモジュール２，３は、隔壁４の両側にこれらのために設けられた保持装置に取り付けられる。次いで両差込みモジュール２，３は、隔壁４とともにケーシング１０内へ押し込まれる。
【００１９】
ケーブルのための貫通開口は、シール２０が張出１８により取り囲まれたスペースに配置され、圧着プレート２６がシールに被せ嵌められることによりシールされる。次いで、圧着プレート２６はねじ３２によって端壁１２に対して押圧され、これにより、シール２０は圧着プレート２６と、対応面として作用する端壁１２との間で圧縮される。この場合に、シール２０の円筒状の段部４２は、ケーシング１０の端壁１２に設けられた円錐状の狭隘部３８若しくは圧着プレート２６に設けられた円錐状の狭隘部４６に押し込まれ、これにより、シール２０はこの領域で半径方向内側へ圧縮される。図３には、シール２０の貫通開口の入口端部若しくは出口端部に形成された、シール２０の２つの相補的な区分５０を見ることができる。この領域では、シール２０は対応するケーブルに密に接触しており、これにより、高いＩＰ保護等級による信頼性良いシールが得られる。シールの段部４２は、両側の相補的な区分５０により、ケーブル保護カバーとして働く。
【００２０】
圧着プレート２６は、シール２０の一様な負荷のために働き、これにより、一様な、ひいては極めて良好なシールが得られる。互いに対角線上に向かい合って位置する両方のねじ３２の有利な配置に基づいて、圧着プレート２６をケーシング１０の端壁１２に一様に結合するためには、極わずかなねじのみが必要である。シールの過剰な圧縮が、ストッパ面１３により阻止される。このストッパ面１３には、圧着プレート２６が接触することができ、ストッパ面１３は、圧着プレート２６と端壁１２との最低間隔を保証する。特に、一様に複数のケーブルがケーシングからの出口の領域でシールされ得ることが強調される。
【図面の簡単な説明】
【００２１】
【図１】本発明による差込みコネクタの分解斜視図である。
【００２２】
【図２】ケーブルのための貫通開口を備えた差込みコネクタの領域を拡大寸法で示す斜視図である。
【００２３】
【図３】組み付けられたシールを有する差込みコネクタの、貫通開口が設けられた端部の部分的な斜視図である。
【符号の説明】
【００２４】
１  差込みコネクタ、  ２  差込みモジュール、  ３  差込みモジュール、  ５  クリップ、  ８  ケーブル、  １０  ケーシング、  １２  端壁、  １３  ストッパ面、  １４，１６  貫通開口、  １８  張出、  ２０  シール、  ２２，２４  貫通開口、  ２６  圧着プレート、  ２８，３０  貫通開口、  ３２  ねじ、  ３４  ねじ開口、  ３６  段部、  ３８  狭隘部、  ４０  圧縮面、  ４２  段部、  ４４  段部、  ４６  狭隘部、  ４８  圧縮面、  ５０  区分、
【図１】
2005050810.tif 000003
【図２】
2005050810.tif 000004
【図３】
2005050810.tif 000005